【手続補正書】
【提出日】平成17年6月9日(2005.6.9)
【手続補正１】
【補正対象書類名】明細書
【補正対象項目名】特許請求の範囲
【補正方法】変更
【補正の内容】
【特許請求の範囲】
【請求項１】
グラフィックスソースと、通信経路を介して前記グラフィックスソースに結合された表示装置と、を含み、前記グラフィックスソースは、複数のアナログ信号フレーム内に符号化された複数の連続画像を前記通信経路上で前記表示装置に送信し、前記表示装置は、前記複数のアナログ信号フレームのなかの対応する一つを受信したことに応答して前記複数の画像の各々を表示するようになっているコンピュータシステムにおいて、前記複数の画像を再生および表示するために使用される一以上の表示信号パラメータを前記表示装置内で自動的に決定する方法であって、
（ａ）前記表示装置が前記一以上の表示信号パラメータを決定することができるように設計された所定のフォーマットを有するテストデータを生成するステップと、
（ｂ）複数の水平線を含むアナログ信号フレームとして前記テストデータを符号化するステップと、
（ｃ）前記テストデータで符号化された前記アナログ信号フレームを前記グラフィックスソースから前記表示装置に前記通信経路上で送信するステップであって、前記複数の画像を符号化する前記複数のアナログ信号フレームも前記通信経路上で送信されるようになっているステップと、
（ｄ）前記テストデータを符号化する前記アナログ信号フレームに対応する指示を前記表示装置に送信するステップであって、前記指示は、前記テストデータが前記対応アナログ信号フレーム内に符号化されたことを前記表示装置に指示するようになっているステップと、
（ｅ）ステップ（ｃ）で送信された前記アナログ信号フレームおよびステップ（ｄ）で送信された前記指示を前記表示装置内で受信するステップと、
（ｆ）前記対応指示に従って前記テストデータが前記アナログ信号フレーム内に符号化されていると前記表示装置内で判断するステップと、
（ｇ）ステップ（ｅ）で受信した前記アナログ信号フレームを検査して、前記一以上の表示信号パラメータを決定するステップと、
を備え、
この決定された表示信号パラメータを用いて、後続の受信アナログ信号フレーム内に符号化された画像を表示することができるようになっている方法。
【請求項２】
前記ステップ（ａ）は、
（ｈ）前記テストデータを符号化する前記アナログ信号フレームの水平線の一以上の位置に所定の輝度レベルを上回る輝度を表すデータを含めるステップであって、輝度を表す前記データにより、前記水平線の水平開始位置および水平終了位置を前記表示装置が決定できるようになっているステップと、
（ｉ）白色および黒色を表すデータを前記テストデータに含めるステップであって、白色および黒色を表す前記データにより、最大輝度レベルおよび最小輝度レベルをそれぞれ符号化するために前記グラフィックスソースによって使用される電圧レベルを前記表示装置が決定できるようになっているステップと、
（ｊ）一以上の表示信号パラメータ値を前記テストデータに含めるステップであって、前記一以上の表示信号パラメータ値を前記グラフィックスソースで確かめることができ、前記表示装置が、前記テストデータを符号化する前記アナログ信号を復合化して前記表示信号パラメータ値を決定できるようになっているステップと、
を含んでいる、請求項１記載の方法。
【請求項３】
前記ステップ（ｊ）は、前記複数の画像を表す際に前記グラフィックスソースによって使用される色の数を示す値と前記グラフィックスソースでの各水平線内のピクセルの総数を示す値とを含めるステップを備えている、
請求項２記載の方法。
【請求項４】
前記ステップ（ａ）、（ｂ）、（ｃ）および（ｄ）は、（ｋ）コード値を生成するステップであって、このコード値は、前記テストデータとともに処理されると、前記テストデータで符号化された前記アナログ信号フレーム内に前記テストデータが符号化されているかどうかを前記表示装置が判断できるようになるコード値であるステップと、（ｌ）前記コード値を前記テストデータとともに前記アナログ信号フレーム内に符号化するステップと、（ｍ）前記テストデータおよび前記コード値を含む前記アナログ信号フレームを前記表示装置に送信するステップと、を含んでおり、前記指示が前記コード値を含んでいる請求項１記載の方法。
【請求項５】
前記ステップ（ｋ）は、巡回冗長検査（ＣＲＣ）方式に従って前記コード値を生成し、このＣＲＣコード値を修正することにより、このＣＲＣコードを有するテストデータが前記ＣＲＣ方式に従って処理されると希望のシンドローム値が生成されるようにするステップを含んでいる、請求項４記載の方法。
【請求項６】
前記テストデータを符号化する前記アナログ信号フレーム内に含まれる前記複数の水平線に対応するように、前記グラフィックスソースから前記表示装置に水平同期信号を送信するステップを更に備え、前記ステップ（ｂ）が、前記複数の水平線の各々の中に単一のビットを符号化するステップを更に備えており、前記ステップ（ｇ）が、前記水平同期信号を用いて前記ビットの各々を受信するステップを備えている、請求項４記載の方法。
【請求項７】
コンピュータシステムの表示装置内で使用するための回路であって、前記表示装置は、通信経路を介してグラフィックスソースに結合されており、前記グラフィックスソースは、複数の画像を表すアナログ信号を前記通信経路上で前記表示装置に送信し、前記表示装置は、前記アナログ信号の受信に応じて前記複数の画像を表示するようになっており、前記複数の画像を再生および表示するために使用される一以上の表示信号パラメータを前記表示装置内で自動的に決定する回路であって、
前記グラフィックスソースから前記通信経路上で前記アナログ信号を受信する表示信号パラメータ決定回路であって、前記アナログ信号は、表示データで符号化された複数のアナログ信号フレームと、テストデータで符号化された少なくとも一つの別のアナログ信号フレームと、を含んでおり、前記表示データは、前記複数の画像を表し、前記テストデータは、この表示信号パラメータ測定回路が前記一以上の表示信号パラメータを決定できるようにする所定のフォーマットを有している、表示信号パラメータ決定回路と、
前記アナログ信号が前記テストデータで符号化されたアナログ信号フレームを含むときに、前記アナログ信号フレームが前記テストデータを含むことを示す指示を受信するシグネチャ識別ブロックであって、前記指示に従って前記受信アナログ信号フレームが前記テストデータを含んでいると判断するシグネチャ識別ブロックと、
前記テストデータが受信されたと前記シグネチャ識別ブロックが判断する場合に、前記表示信号パラメータ決定回路によって決定された前記一以上の表示信号パラメータを受信するマイクロコントローラと、
を備え、
前記表示装置は、前記アナログ信号内に符号化された後続の受信画像を表示するために前記受信表示信号パラメータを使用するようになっている回路。
【請求項８】
前記テストデータは、前記テストデータを符号化する前記アナログ信号フレームの水平線の一以上の位置に所定の輝度レベルを上回る輝度を表すデータ値を含んでおり、前記表示信号パラメータ決定回路は、所定の輝度レベルを上回る輝度を表す前記データを検査することによって前記水平線の水平開始位置および水平終了位置を決定するソースタイミング測定回路を備えている、請求項７記載の回路。
【請求項９】
前記テストデータは、前記テストデータ内に白色および黒色を含んでおり、前記表示信号パラメータ決定回路は、前記グラフィックスソースによって使用される電圧レベルを決定し、前記白色および前記黒色を表す前記アナログ信号の部分を検査することによって最大輝度レベルおよび最小輝度レベルをそれぞれ符号化する全振幅決定回路を備えている、請求項７記載の回路。
【請求項１０】
前記指示は、ＣＲＣコードを含んでおり、このＣＲＣコードは、前記テストデータとともにＣＲＣシンドローム生成器によって処理されると希望のシンドロームを生成するように設計されており、前記シグネチャ識別手段は、前記テストデータが受信されたときに前記希望のシンドロームを生成する前記ＣＲＣシンドローム生成器を備えている、請求項７記載の回路。
【請求項１１】
前記テストデータの各ビットは、前記テストデータを符号化する前記アナログ信号フレームの一つの水平線内に符号化され、前記シグネチャ決定ブロックは、前記テストデータを符号化する前記アナログ信号フレームとともに受信される水平同期信号を用いて前記テストデータの各ビットを受信する、請求項７記載の回路。
【請求項１２】
複数の連続画像を表示するコンピュータシステムであって、
各々が前記複数の連続画像の一つを表している複数の連続アナログ信号フレームを受信し、前記複数の連続フレーム内に符号化された前記複数の連続画像を表示するために使用される複数の表示信号パラメータに基づいて前記複数の連続アナログ信号フレームから前記複数の連続画像の各々を再生する表示装置と、
通信経路を介して前記表示装置に結合され、前記複数の画像を表す前記複数の連続アナログ信号フレームを生成するグラフィックスソースであって、前記通信経路上に前記複数の連続画像を送信するように設計されているグラフィックスソースと、
を備え、
前記グラフィックスソースは、前記一以上の表示信号パラメータを前記表示装置が決定できるようにするように設計された所定のフォーマットを有するテストデータを生成し、
前記グラフィックスソースは、複数の水平線を含むアナログ信号フレームとして前記テストデータを符号化し、前記テストデータで符号化された前記アナログ信号フレームを前記通信経路上で前記グラフィックスソースから前記表示装置に送信し、
前記グラフィックスソースは、前記テストデータが前記アナログ信号内に符号化されたことを示す指示を前記表示装置に更に送信し、
前記表示装置は、前記指示に従って前記テストデータで符号化された前記アナログ信号フレームが前記テストデータを含んでいると判断し、前記テストデータで符号化された前記アナログ信号フレームを検査することによって前記表示信号パラメータを決定するようになっているコンピュータシステム。
【請求項１３】
前記グラフィックスソースは、前記アナログ信号フレームの水平線の全ての位置において所定の輝度レベルを上回る輝度を表すデータ値を前記テストデータ内に含めるようになっており、
前記表示装置は、
所定の輝度レベルを上回る輝度を表す前記データを検査することによって前記水平線の水平開始位置および水平終了位置を決定するソースタイミング測定回路を含んでいる、請求項１２記載のコンピュータシステム。
【請求項１４】
前記グラフィックスソースは、白色および黒色を表すデータを前記テストデータ内に含めるようになっており、
前記表示装置は、
前記グラフィックスソースによって使用される電圧レベルを決定し、前記白色および前記黒色を表す前記アナログ信号の部分を検査することによって最大輝度レベルおよび最小輝度レベルをそれぞれ符号化する全振幅決定回路を含んでいる、請求項１２記載のコンピュータシステム。
【請求項１５】
前記グラフィックスソースは、データ表示信号パラメータ値を前記テストデータ内に含めるようになっており、前記グラフィックスソースは、前記テストデータを符号化する前記アナログ信号フレーム内に含まれる前記複数の水平線に対応するように水平同期信号を送信し、前記グラフィックスソースは、前記複数の水平線の各々の中に１ビットだけを符号化し、前記１ビットは、このビットが値０を有する場合には黒色として符号化され、値１を有する場合には白色として符号化されるようになっており、
前記表示装置は、
前記テストデータを符号化する前記アナログ信号フレームをサンプリングクロックを用いてサンプリングし、複数のサンプル値を生成するアナログ−デジタル変換器（ＡＤＣ）と、
前記複数のサンプル値の最上位ビットを受信するフリップフロップであって、前記複数の水平線の各々の中に符号化された前記ビットがこのフリップフロップ内に記憶されるように前記水平同期信号によってクロックされるフリップフロップと、
前記フリップフロップに結合され、前記フリップフロップに記憶された前記ビットを受信するバッファであって、このバッファによって受信される前記ビットが、前記アナログ信号フレーム内に符号化された表示信号パラメータ値を表しているバッファと、
を更に備えている、請求項１２記載のコンピュータシステム。
【請求項１６】
前記ホストは、巡回冗長検査（ＣＲＣ）方式を用いてコードワードを生成するとともに、前記テストデータを符号化する前記アナログ表示フレーム内に前記コードワードを符号化し、
前記表示装置は、
前記テストデータを符号化する前記アナログ信号フレームをサンプリングクロックを用いてサンプリングし、複数のサンプル値を生成するアナログ−デジタル変換器（ＡＤＣ）と、
前記サンプル値の一以上のビットを処理することによってシンドローム値を生成するＣＲＣ生成器と、
を更に備えており、
前記表示装置は、前記シンドローム値が所定の値に等しい場合に前記サンプル値が前記テストデータを表していると判断するようになっている、請求項１２記載のコンピュータシステム。
【請求項１７】
前記指示は、前記複数のアナログ信号フレーム内に符号化されたデータを含んでいる、請求項１記載の方法。
【請求項１８】
前記指示は、前記複数のアナログ信号フレーム内に符号化されたデータを含んでいる、請求項７記載の回路。
【請求項１９】
前記指示は、前記複数のアナログ信号フレーム内に符号化されたデータを含んでいる、請求項１２記載のコンピュータシステム。